(57)【要約】【課題】フレーム構造体を多段階的に折畳可能とすることによって複数の可搬形態を有するプレイヤードを提供すること。【解決手段】内部空間を画成する折畳可能なフレーム構造体を備えるプレイヤードであって、フレーム構造体が、環状の上側フレーム体と、上側フレーム体から下方に延在してフレーム構造体を自立させ、上側フレーム体に対して脚回動軸回りに回動可能に連結された複数の脚フレーム体と、を備え、上側フレーム体が、少なくとも２つのフレーム部分と、隣接する２つのフレーム部分を互いに対して上フレーム回動軸回りに回動可能に接続する回動接続体と、を有する。【選択図】図２
2020039875.tif 000002
【特許請求の範囲】
【請求項１】
内部空間を画成する折畳可能なフレーム構造体を備えるプレイヤードであって、
前記フレーム構造体が、
環状の上側フレーム体と、
前記上側フレーム体から下方に延在して当該フレーム構造体を自立させ、前記上側フレーム体に対して脚回動軸回りに回動可能に連結された複数の脚フレーム体と、
を備え、
前記上側フレーム体が、少なくとも２つのフレーム部分と、隣接する２つの前記フレーム部分を互いに対して上フレーム回動軸回りに回動可能に接続する回動接続体と、を有することを特徴とするプレイヤード。
【請求項２】
前記脚フレーム体が、当該脚フレーム体を前記上側フレーム体に対する展開位置で保持する脚ラッチ機構を有することを特徴とする請求項１に記載のプレイヤード。
【請求項３】
前記脚ラッチ機構が、前記脚フレーム体に設けられた第１ラッチ係合部と、前記上側フレーム体に設けられ、前記第１ラッチ係合部と係合することによって前記脚フレーム体の回動を規制する第２ラッチ係合部と、を有することを特徴とする請求項２に記載のプレイヤード。
【請求項４】
前記脚フレーム体が、脚フレーム本体と、当該脚フレーム本体に沿ってスライド可能に配設されたラッチスライド体と、を有し、
前記ラッチスライド体には、前記第２ラッチ係合部が設けられていることを特徴とする請求項３に記載のプレイヤード。
【請求項５】
前記脚フレーム体が、脚フレーム本体と、前記脚フレーム本体に対してラッチ回動軸回りで回動可能に設けられたラッチ操作体と、を有し、
前記ラッチ操作体には、前記第１ラッチ係合部が設けられていることを特徴とする請求項３に記載のプレイヤード。
【請求項６】
前記ラッチ操作体が、操作部と、操作部の一端部から延在し、前記第１ラッチ係合部が設けられているラッチ部と、を有し、
前記操作部及び前記ラッチ部が、Ｌ字状をなし、
前記操作部と前記ラッチ部との連結部分には、前記ラッチ回動軸が設けられていることを特徴とする請求項５に記載のプレイヤード。
【請求項７】
前記第２ラッチ係合部が、前記上側フレーム体に形成され、前記第１ラッチ係合部を案内するラッチ溝部であり、
前記ラッチ溝部が、前記ラッチ操作体が前記ラッチ回動軸回りに回動しているときに前記第１ラッチ係合部を案内する第１案内溝部と、前記第１案内溝部の一端部に連なり、前記脚フレーム体が前記脚回動軸回りに回動しているときに前記第１ラッチ係合部を案内する第２案内溝部と、を有することを特徴とする請求項５に記載のプレイヤード。
【請求項８】
前記脚ラッチ機構が、前記脚フレーム体の脚フレーム本体に対して第１ラッチ回動軸回りに回動可能に設けられ、第１ラッチ係合部が設けられた第１ラッチ体と、前記上側フレーム体に対して第２ラッチ回動軸回りに回動可能に設けられ、前記第１ラッチ係合部と係合することによって前記脚フレーム体の回動を規制する第２ラッチ係合部が設けられた第２ラッチ体と、を有し、
前記第１ラッチ体と前記第２ラッチ体とが、第３ラッチ回動軸回りに互いに回動可能に連結されていることを特徴とする請求項２に記載のプレイヤード。
【請求項９】
前記脚ラッチ機構が、前記第１ラッチ係合部を前記第２ラッチ係合部との係合状態に付勢する付勢部材を有することを特徴とする請求項３から８のいずれか１項に記載のプレイヤード。
【請求項１０】
前記フレーム部分の少なくとも１つが、当該フレーム部分を折畳可能とし、当該フレーム部分の伸長状態でロック可能な折畳機構が設けられている折畳可能フレーム部分とされていることを特徴とする請求項１から９のいずれか１項に記載のプレイヤード。
【請求項１１】
前記折畳機構が、前記折畳可能フレーム部分を前記上側フレーム体の内側に折り畳むことを可能とすることを特徴とする請求項１０に記載のプレイヤード。
【請求項１２】
前記上側フレーム体が、上面視で矩形環状をなしており、
前記上側フレーム体が、４つの前記フレーム部分と、４つの回動接続体と、を有し、
４つの前記フレーム部分のうち対向する２つが、前記折畳可能フレーム部分であり、
前記脚フレーム体が、前記上側フレーム体の各隅部から下方に延在していることを特徴とする請求項１０または１１に記載のプレイヤード。
【請求項１３】
前記上側フレーム体が、上面視で長方形環状をなしており、
４つの前記フレーム部分のうち前記上側フレーム体の長辺を形成する２つの前記フレーム部分が、前記折畳可能フレーム部分であり、
前記脚フレーム体が、４つの前記フレーム部分のうち前記上側フレーム体の短辺を形成する２つの前記フレーム部分に接続されていることを特徴とする請求項１１または１２に記載のプレイヤード。
【請求項１４】
前記折畳機構が、前記折畳可能フレーム部分の中間部分に設けられていることを特徴とする請求項１１から１３のいずれか１項に記載のプレイヤード。
【請求項１５】
前記折畳可能フレーム部分を折り畳んだ際に自立することを特徴とする請求項１０から１４のいずれか１項に記載のプレイヤード。
【請求項１６】
前記折畳可能フレーム部分に隣接する前記フレーム部分が、折り畳んだ前記折畳可能フレーム部分が通ることを可能とするように湾曲していることを特徴とする請求項１０から１５のいずれか１項に記載のプレイヤード。
【請求項１７】
前記脚フレーム体のうちの少なくとも１つの自由端部が、車輪を有することを特徴とする請求項１から１６のいずれか１項に記載のプレイヤード。
【発明の詳細な説明】
【技術分野】
【０００１】
本願は、２０１８年９月１１日に出願した米国仮特許出願第６２／７２９７２１号の優先権を主張しており、そのすべてを参考として本願に組み込む。
【０００２】
本発明は、プレイヤードに関する。
【背景技術】
【０００３】
プレイヤードは、子供が寝たり遊んだりするための安全な環境を含み、提供するように使用される。典型的には、プレイヤードは、折り畳み式であり、収容または運搬が可能である。
【発明の概要】
【発明が解決しようとする課題】
【０００４】
しかしながら、このようなプレイヤードにおいても、フレーム構造体を多段階的に折り畳むことによって複数の可搬形態を持たせることにより、利便性を向上させることに対する要望があった。
【０００５】
そこで、本発明は、フレーム構造体を多段階的に折畳可能とすることによって複数の可搬形態を有するプレイヤードを提供することを目的とする。
【課題を解決するための手段】
【０００６】
本発明は、上記課題を解決するために以下のような手段を採用した。すなわち、本発明のプレイヤードは、内部空間を画成する折畳可能なフレーム構造体を備えるプレイヤードであって、前記フレーム構造体が、環状の上側フレーム体と、前記上側フレーム体から下方に延在して当該フレーム構造体を自立させ、前記上側フレーム体に対して脚回動軸回りに回動可能に連結された複数の脚フレーム体と、を備え、前記上側フレーム体が、少なくとも２つのフレーム部分と、隣接する２つの前記フレーム部分を互いに対して上フレーム回動軸回りに回動可能に接続する回動接続体と、を有することを特徴とする。
【０００７】
この発明では、回動接続体を介して接続されている２つの折畳可能フレーム部分を折り畳むことにより、プレイヤードは、上側フレーム体を折り畳んだ第１折畳状態となる。そして、脚フレーム体の下端部が上側フレーム体に近接するように脚フレーム体を上側フレーム体に対して回動させると、脚フレーム体は、上側フレーム体に対して折り畳まれる。これにより、プレイヤードは、脚フレーム体を上側フレーム体に対して折り畳んだ第２折畳状態となる。
このように、プレイヤードを第１折畳状態及び第２折畳状態を有する多段階的に折り畳むことにより、プレイヤードは、複数の可搬形態を有し、プレイヤードの利便性を向上させることができる。
【０００８】
また、本発明のプレイヤードでは、前記脚フレーム体が、当該脚フレーム体を前記上側フレーム体に対する展開位置で保持する脚ラッチ機構を有してもよい。
この発明では、脚ラッチ機構によって脚フレーム体の上側フレームに対する展開構造が安定して維持できる。
【０００９】
また、本発明のプレイヤードでは、前記脚ラッチ機構が、前記脚フレーム体に設けられた第１ラッチ係合部と、前記上側フレーム体に設けられ、前記第１ラッチ係合部と係合することによって前記脚フレーム体の回動を規制する第２ラッチ係合部と、を有してもよい。
この発明では、第１ラッチ係合部と第２ラッチ係合部とが係合することにより、脚フレーム体の上側フレームに対する展開状態が安定して維持できる。
【００１０】
また、本発明のプレイヤードでは、前記脚フレーム体が、脚フレーム本体と、当該脚フレーム本体に沿ってスライド可能に配設されたラッチスライド体と、を有し、前記ラッチスライド体には、前記第２ラッチ係合部が設けられてもよい。
この発明では、ラッチスライド体を脚フレーム本体に対してスライドさせることにより、第１ラッチ係合部と第２ラッチ係合部とを係合、係合解除する。
【００１１】
また、本発明のプレイヤードでは、前記脚フレーム体が、脚フレーム本体と、前記脚フレーム本体に対してラッチ回動軸回りで回動可能に設けられたラッチ操作体と、を有し、前記ラッチ操作体には、前記第１ラッチ係合部が設けられてもよい。
この発明では、ラッチ操作体を脚フレーム本体に対してラッチ回動軸回りに回動させることにより、第１ラッチ係合部と第２ラッチ係合部とを係合、係合解除する。
【００１２】
また、本発明のプレイヤードでは、前記ラッチ操作体が、操作部と、操作部の一端部から延在し、前記第１ラッチ係合部が設けられているラッチ部と、を有し、前記操作部及び前記ラッチ部が、Ｌ字状をなし、前記操作部と前記ラッチ部との連結部分には、前記ラッチ回動軸が設けられてもよい。
この発明では、操作部を操作することによって第１ラッチ係合部を第２ラッチ係合部に対して係合、係合解除する。
【００１３】
また、本発明のプレイヤードでは、前記第２ラッチ係合部が、前記上側フレーム体に形成され、前記第１ラッチ係合部を案内するラッチ溝部であり、前記ラッチ溝部が、前記ラッチ操作体が前記ラッチ回動軸回りに回動しているときに前記第１ラッチ係合部を案内する第１案内溝部と、前記第１案内溝部の一端部に連なり、前記脚フレーム体が前記脚回動軸回りに回動しているときに前記第１ラッチ係合部を案内する第２案内溝部と、を有してもよい。
この発明では、第１ラッチ係合部が第１案内溝部にあるときに脚フレーム体の上側フレーム体に対する回動が規制され、第１ラッチ係合部が第２案内溝部にあるときに脚フレーム体の上側フレーム体に対する回動が可能となる。
【００１４】
また、本発明のプレイヤードでは、前記脚ラッチ機構が、前記脚フレーム体の脚フレーム本体に対して第１ラッチ回動軸回りに回動可能に設けられ、第１ラッチ係合部が設けられた第１ラッチ体と、前記上側フレーム体に対して第２ラッチ回動軸回りに回動可能に設けられ、前記第１ラッチ係合部と係合することによって前記脚フレーム体の回動を規制する第２ラッチ係合部が設けられた第２ラッチ体と、を有し、前記第１ラッチ体と前記第２ラッチ体とが、第３ラッチ回動軸回りに互いに回動可能に連結されてもよい。
この発明では、第１ラッチ体を第１ラッチ回動軸回りに回動させると第２ラッチ体も第１ラッチ体の回動に伴って第２ラッチ回動軸回りに回動して第１ラッチ係合部と第２ラッチ係合部とが係合、係合解除する。
【００１５】
また、本発明のプレイヤードでは、前記脚ラッチ機構が、前記第１ラッチ係合部を前記第２ラッチ係合部との係合状態に付勢する付勢部材を有してもよい。
この発明では、付勢部材によって第１ラッチ係合部と第２ラッチ係合部との係合状態が維持されるので、脚フレーム体の上側フレームに対する展開状態がより安定して維持できる。
【００１６】
前記フレーム部分の少なくとも１つが、当該フレーム部分を折畳可能とし、当該フレーム部分の伸長状態でロック可能な折畳機構が設けられている折畳可能フレーム部分とされてもよい。
この発明では、折畳機構を用いて伸長状態にある折畳可能フレーム部分を折り畳むことにより、上側フレーム体をよりコンパクトに折り畳むことができる。
【００１７】
また、本発明のプレイヤードでは、前記折畳機構が、前記折畳可能フレーム部分を前記上側フレーム体の内側に折り畳むことを可能としてもよい。
この発明では、折畳可能フレーム部分を内側に折り畳むことにより、折り畳んだプレイヤードをより小型化することができる。
【００１８】
また、本発明のプレイヤードでは、前記上側フレーム体が、上面視で矩形環状をなしており、前記上側フレーム体が、４つの前記フレーム部分と、４つの回動接続体と、を有し、４つの前記フレーム部分のうち対向する２つが、前記折畳可能フレーム部分であり、前記脚フレーム体が、前記上側フレーム体の各隅部から下方に延在してもよい。
この発明では、上面視で矩形環状をなす上側フレーム体のうちの対向する２つのフレーム部分を折畳機構を用いて折り畳むことにより、上側フレーム体をコンパクトに折り畳むことができる。
【００１９】
また、本発明のプレイヤードでは、前記上側フレーム体が、上面視で長方形環状をなしており、４つの前記フレーム部分のうち前記上側フレーム体の長辺を形成する２つの前記フレーム部分が、前記折畳可能フレーム部分であり、前記脚フレーム体が、４つの前記フレーム部分のうち前記上側フレーム体の短辺を形成する２つの前記フレーム部分に接続されてもよい。
この発明では、上面視で長方形環状をなす上側フレーム体の長辺を折畳可能フレーム部分で形成することにより、上側フレーム体をコンパクトに折り畳むことができる。
【００２０】
また、本発明のプレイヤードでは、前記折畳機構が、前記折畳可能フレーム部分の中間部分に設けられていてもよい。
この発明では、折り畳んだ折畳可能フレーム部分の長さが展開時の折畳可能フレームの長さのほぼ半分となるので、折畳可能フレーム部分をよりコンパクトに折り畳むことができる。
【００２１】
また、本発明のプレイヤードでは、前記折畳機構が設けられた前記フレーム部分を折り畳んだ際に自立してもよい。
この発明では、折畳可能フレーム部分を折り畳んだ後も、すなわち第１折畳状態において、プレイヤードが自立するので、折り畳んだプレイヤードの保管が容易になるなど、利便性が向上する。
【００２２】
また、本発明のプレイヤードでは、前記折畳可能フレーム部分に隣接する前記フレーム部分が、折り畳んだ前記折畳可能フレーム部分が通ることを可能とするように湾曲していてもよい。
この発明では、折り畳んだ折畳可能フレーム部分をこの折畳可能フレーム部分に隣接するフレーム部分の湾曲部分の上または下に通すことにより、上側フレーム体をよりコンパクトに折り畳むことができる。
【００２３】
また、本発明のプレイヤードでは、前記脚フレーム体のうちの少なくとも１つの自由端部が、車輪を有してもよい。
この発明では、プレイヤードの搬送性が向上する。
【発明の効果】
【００２４】
この発明にかかるプレイヤードによれば、プレイヤードを第１折畳状態及び第２折畳状態に多段階的に折り畳むことにより、プレイヤードは、複数の可搬形態を有し、プレイヤードの利便性を向上させることができる。
【図面の簡単な説明】
【００２５】
【図１】本発明の第１実施形態にかかるプレイヤードを示す斜視図である。
【図２】図１のフレーム構造体を示す斜視図である。
【図３】図２のフレーム構造体を示す上面図である。
【図４】図２の折畳機構を示す斜視図である。
【図５】図４の折畳機構の動作を説明する斜視図である。
【図６】同じく、図４の折畳機構の動作を説明する斜視図である。
【図７】図２の回動接続体を示す側面図である。
【図８】図７の脚フレーム体及び第２取付部材を示す斜視図である。
【図９】図２のフレーム構造体の第１折畳状態を示す上面図である。
【図１０】図２のフレーム構造体の第２折畳状態を示す側面図である。
【図１１】本発明の第２実施形態にかかるプレイヤードの脚フレーム体及び第２取付部材を示す側面図である。
【図１２】本発明の第３実施形態にかかるプレイヤードの脚フレーム体及び第２取付部材を示す部分断面図である。
【図１３】本発明の第４実施形態にかかるプレイヤードの脚フレーム体及び第２取付部材を示す部分断面図である。
【発明を実施するための形態】
【００２６】
［第１実施形態］
以下、本発明にかかるプレイヤードの第１実施形態を、図面に基づいて説明する。なお、以下の説明に用いる各図面では、各部材を認識可能とするために縮尺を適宜変更している。
本実施形態にかかるプレイヤード１は、例えば子供が寝たり遊んだりするための内部空間を画成し、図１に示すように、フレーム構造体２と、フレーム構造体２に取り付けられた長方形筒状の織物構造体３と、を備える。ここで、図１において、矢印Ａ方向を前後方向、前後方向に垂直な矢印Ｂ方向を左右方向、矢印Ａ及び矢印Ｂ方向に垂直な方向を上下方向と称する。
【００２７】
フレーム構造体２は、図１から図３に示すように、上面視で長方形環状をなす上側フレーム体５と、上側フレーム体５の各隅部から下方に延在し、フレーム構造体２を自立させる４本の脚フレーム体６と、を備える。
上側フレーム体５は、左右方向で互いにほぼ平行に延在する２本の折畳可能フレーム部分（フレーム部分）１１と、前後方向で互いにほぼ平行に延在する２本の連続フレーム部分（フレーム部分）１２と、これら折畳可能フレーム部分１１と連続フレーム部分１２とを接続する回動接続体１３と、を備える。
【００２８】
折畳可能フレーム部分１１は、図２及び図３に示すように、ほぼ水平方向に延在する２本の上側フレーム管体２１と、２本の上側フレーム管体２１の端部を接続する折畳機構２２と、を有する。
上側フレーム管体２１は、中空の管体であり、一端が回動接続体１３に接続され、他端が折畳機構２２に接続されている。
【００２９】
折畳機構２２は、図４から図６に示すように、上側フレーム管体２１が取り付けられる２つの管体取付部材３１と、管体取付部材３１に対して上下移動可能であり、管体取付部材３１の動作を規制するラッチ部材３２と、外側筐体３３と、内側筐体３４と、を有する。
管体取付部材３１は、ラッチ部材３２、外側筐体３３及び内側筐体３４に対して折畳回動軸Ａ１回りに回動可能な回動部４１と、回動部４１から左右方向外側に突出し、内側に上側フレーム管体２１が取り付けられる取付管部４２と、回動部４１から左右方向内側に突出する第１ラッチ突起部４３と、を有する。
回動部４１は、ほぼ円柱状に形成されており、回動部４１の上端部には、上方に向けて突出する第１回動突起部４１Ａが形成されている。一方、回動部４１の下端部は、楕円状の横断面を有しており、第１カム面４１Ｂを形成している。
【００３０】
ラッチ部材３２は、下方向に延在するラッチ本体部５１と、ラッチ本体部５１の上端部においてラッチ本体部５１から前後方向内側に突出する一対の第２ラッチ突起部５２と、を備える。
一対の第２ラッチ突起部５２は、左右方向に間隔をあけて設けられている。第２ラッチ突起部５２は、第１ラッチ突起部４３の前後方向内側に配置され、第１ラッチ突起部４３に対して前後方向内側から当接している。これにより、第２ラッチ突起部５２は、第１ラッチ突起部４３が折畳回動軸Ａ１回りにおいて前後方向内側に回動することを規制する。
ラッチ部材３２の下端部は、外側筐体３３に形成された後述するスロット部６２Ａから外側筐体３３の外方に突出している。
なお、ラッチ部材３２は、バネ（図示略）によって下方に付勢されている。
【００３１】
外側筐体３３は、下板部６１と、下板部６１の前端縁に連設され、上下方向に延在する外側板部６２と、下板部６１から上方に突出し、一対の第２ラッチ突起部５２間に配設される支持突起部６３と、を有する。
下板部６１は、上面視で長円状をなしており、左右方向の両端部上には、回動部４１が載置されている。また、下板部６１の左右方向の中央部には、左右方向の両端部よりも上方に突出するカム隆起部６４が設けられている。カム隆起部６４の左右方向外側面は、第２カム面６４Ａを形成しており、この第２カム面６４Ａには、回動部４１の第１カム面４１Ｂが当接している。
【００３２】
外側板部６２は、第２ラッチ突起部５２と共に折畳回動軸Ａ１回りでの第１ラッチ突起部４３の回動を規制する。外側板部６２の上側部分における左右両側部は、左右方向内側に向けて窪んでおり、管体取付部材３１の折畳回動軸Ａ１回りにおける回動を阻害しない。外側板部６２の下側部分は、外側板部６２の上側部分よりも左右方向の幅が大きくなっており、下方に向かうにしたがって漸次前後方向内側に向かうように湾曲している。また、外側板部６２の下側部分には、ラッチ部材３２の下端部が挿通されるスロット部６２Ａが形成されている。
【００３３】
内側筐体３４は、左右方向から見てＣ字状をなしており、頂板部７１と、内側板部７２と、底板部７３と、を有する。頂板部７１は、回動部４１及びラッチ部材３２を上方から覆っており、頂板部７１には、回動部４１の第１回動突起部４１Ａが挿入される第１回動孔部７１Ａが形成されている。内側板部７２は、回動部４１及び第２ラッチ突起部５２を前後方向内側から覆っている。底板部７３は、外側筐体３３の下板部６１の下方に配設されており、頂板部７１と共に管体取付部材３１及び外側筐体３３を上下方向で挟み込む。
【００３４】
連続フレーム部分１２は、図２に示すように、左右方向の内側に向かうにしたがって漸次上方に向かうように湾曲している。そして、連続フレーム部分１２の両端部は、回動接続体１３に取り付けられている。
【００３５】
回動接続体１３は、図２、図３、図７及び図８に示すように、上面視でＬ字状をなしており、第１取付部材８１と、第１取付部材８１に対して上フレーム回動軸Ａ３回りに回動可能に連結された第２取付部材８２と、を備える。
第１取付部材８１には、上側フレーム管体２１の端部が取り付けられている。また、第１取付部材８１は、上面視で前後方向外側に向かうにしたがって左右方向の内側に向かうように湾曲しており、第１取付部材８１の上下方向の幅は、前後方向外側に向かうにしたがって漸次狭くなっている。
【００３６】
第２取付部材８２は、図７及び図８に示すように、連続フレーム部分１２の端部が取り付けられる連続フレーム取付部９１と、連続フレーム取付部９１から下方に連設され、脚フレーム体６を脚回動軸Ａ２回りに回動可能に連結する脚フレーム取付部９２と、を有する。
連続フレーム取付部９１の前後方向外側の端部には、第１取付部材８１の左右方向外側の端部を受ける取付凹所９１Ａが形成されており、この取付凹所９１Ａに第１取付部材８１の上記端部を取り付けることにより、第１取付部材８１及び第２取付部材８２は、互いに対して上フレーム回動軸Ａ３回りに回動可能に連結される。
脚フレーム取付部９２は、左右方向に間隔をあけた一対の取付板部９３を有しており、この取付板部９３には、脚フレーム体６を脚回動軸A２回りに回動可能に取り付けるための脚回動孔部９３Ａが形成されている。また、取付板部９３の内面には、ラッチ凹所（第２ラッチ係合部）９３Ｂが形成されている。さらに、取付板部９３の下端縁及び左右方向外側縁は、円弧状をなしている。
【００３７】
脚フレーム体６は、脚フレーム管体（脚フレーム本体）１０１と、脚フレーム管体１０１の上端部に装着された脚ラッチ筒部（ラッチスライド体）１０２と、脚フレーム管体１０１の下端部に装着された脚キャップ１０３と、を備える。４本の脚フレーム体６のうち図３において右側に配設されている２本の脚フレーム体６には、図２及び図３に示すように、脚キャップ１０３に替えて車輪１０４が取り付けられている。
【００３８】
脚ラッチ筒部１０２は、図７及び図８に示すように、バネ（図示略）によって上方に付勢されている。脚ラッチ筒部１０２は、筒状本体部１１１と、筒状本体部１１１の上端縁から外側に突出する摺動フランジ部１１２と、摺動フランジ部１１２から上方に延在する一対の脚ラッチ突起部（第１ラッチ係合部）１１３と、摺動フランジ部１１２よりも下方において筒状本体部１１１から外方に突出する作動突起部１１４と、を有する。
【００３９】
摺動フランジ部１１２の上面は、取付板部９３の下端縁及び左右方向外側縁の円弧形状に対応する円弧状曲面をなしている。
一対の脚ラッチ突起部１１３は、脚フレーム体６が間に配設されるように左右方向に間隔をあけて配置されている。脚ラッチ突起部１１３は、取付板部９３の内面に形成されたラッチ凹所９３Ｂに配置されてラッチ凹所９３Ｂと係合しており、ラッチ凹所９３Ｂの前後方向の両端縁に当接することによって、脚フレーム体６が回動接続体１３に対して脚回動軸Ａ２回りに回動することを規制する。
これら脚ラッチ筒部１０２及び取付板部９３に形成されたラッチ凹所９３Ｂによって脚ラッチ機構が形成されている。
【００４０】
織物構造体３は、図１に示すように、上下両端が開口する筒状をなしており、フレーム構造体２に対してピンと張られている。プレイヤード１の底部には、強化織物パネル１２１が配置されている。なお、織物構造体３は、例えば上方に開口する箱状など、他の形状をなしてもよい。
【００４１】
次に、以上のような構成のプレイヤード１の使用方法を説明する。
例えばプレイヤード１を運搬したり収納したりするために、図１に示す展開状態からプレイヤード１を折り畳む際には、折畳可能フレーム部分１１の左右方向の中間部に配置されているラッチ部材３２のうち外側筐体３３から露出している下端部を上方に押し込む。これにより、図５（Ｂ）に示すように、ラッチ部材３２が管体取付部材３１、外側筐体３３及び内側筐体３４に対して上方へ移動し、第２ラッチ突起部５２が管体取付部材３１の第１ラッチ突起部４３よりも上方に移動する。これにより、第１ラッチ突起部４３と第２ラッチ突起部５２とラッチ係合が解除され、回動部４１が折畳回動軸Ａ１回りに回動自在になる。
【００４２】
そして、一対の折畳可能フレーム部分１１の左右方向の中間部が互いに接近するように、管体取付部材３１を折畳回動軸Ａ１回りに回動させる。管体取付部材３１が折畳回動軸Ａ１回りに回動するに伴って、回動接続体１３の第１取付部材８１は、第２取付部材８２に対して上フレーム回動軸Ａ３回りに回動する。また、回動部４１が折畳回動軸Ａ１回りに回動するに伴って、管体取付部材３１における楕円状の横断面を有する回動部４１の下端部と外側筐体３３の下板部６１にあるカム隆起部６４との間には間隙が形成されるため、図６に示すように、回動部４１の下端部は、第１回動突起部４１Ａを起点として、左右方向内側に傾く。
【００４３】
このようにして、図９に示すように、プレイヤード１を折り畳んで第１折畳状態とする。第１折畳状態では、プレイヤード１の左右方向の幅がプレイヤード１の展開時よりも小さくなっているため、例えば部屋間の移動が容易になる。また、脚フレーム体６に車輪１０４が設けられていることによっても、第１折畳状態にあるプレイヤード１の運搬が容易になる。
【００４４】
さらに、第１折畳状態にあるプレイヤード１において、図８に示すように、作動突起部１１４を下方に押し下げ、脚ラッチ筒部１０２をバネ付勢力に抗して押し下げると、脚ラッチ筒部１０２の脚ラッチ突起部１１３が第２取付部材８２の取付板部９３に形成されているラッチ凹所９３Ｂから離脱し、脚ラッチ突起部１１３とラッチ凹所９３Ｂとのラッチ係合が解除される。そして、脚フレーム体６を脚回動軸Ａ２回りに回動させ、脚フレーム体６を連続フレーム部分１２に近接させる。脚ラッチ突起部１１３とラッチ凹所９３Ｂとのラッチ係合を解除した後は摺動フランジ部１１２の円弧状の上面が取付板部９３の対応する円弧状の縁部に接するので、脚ラッチ筒部１０２を下方に押し下げることを停止して脚ラッチ筒部１０２が上方に付勢されても、脚フレーム体６を脚回動軸Ａ２回りにスムーズに回動させることができる。
このようにして、図１０に示すように、プレイヤード１をさらに折り畳んで第２折畳状態とする。第２折畳状態では、プレイヤード１の上下方向の幅が小さくなるため、プレイヤード１の運搬がさらに容易になる。
【００４５】
一方、折り畳んだプレイヤード１を使用するために展開するためには、上述した手順と逆の手順を行えばよい。まず、第２折畳状態にあるプレイヤード１の脚フレーム体６を脚回動軸Ａ２回りに回動させ、脚フレーム体６を展開する。脚フレーム体６を脚回動軸Ａ２回りに回動させて脚ラッチ筒部１０２の脚ラッチ突起部１１３が取付板部９３のラッチ凹所９３Ｂと位置合わせされると、脚ラッチ筒部１０２が上記バネによって上方付勢されているので、脚ラッチ突起部１１３がラッチ凹所９３Ｂと係合する。これにより、プレイヤード１は、第１折畳状態となる。このとき、折り畳んだ折畳可能フレーム部分１１を上方に湾曲している連続フレーム部分１２の下を通って延在する。
【００４６】
続いて、例えば一対の連続フレーム部分１２を互いに離間させることにより、上側フレーム体５を展開する。一対の連続フレーム部分１２を互いに離間させると、折畳可能フレーム部分１１の上側フレーム管体２１は、連続フレーム部分１２に対して上フレーム回動軸Ａ３回りに回動しながら展開される。また、一対の連続フレーム部分１２を互いに離間させる動作に従って、折畳可能フレーム部分１１の上側フレーム管体２１及び管体取付部材３１は、互いに対して折畳回動軸Ａ１回りに回動する。管体取付部材３１の回動部４１が折畳回動軸Ａ１回りに回動するに伴って、回動部４１の下端部にある第１カム面４１Ｂが下板部６１のカム隆起部６４にある第２カム面６４Ａに当接し、回動部４１の下端部は、第１回動突起部４１Ａを起点として左右方向外側に傾く。これにより、回動部４１から突出する取付管部４２、ひいては取付管部４２に取り付けられている上側フレーム管体２１は、上側へ若干回転し、上側フレーム管体２１に貼り付けられている織物構造体３に張力を付与する。
【００４７】
そして、上側フレーム体５を展開すると、ラッチ部材３２は、上記バネによる下方付勢力によって下方に移動し、第２ラッチ突起部５２と外側筐体３３とは、第１ラッチ突起部４３の折畳回動軸Ａ１回りの回動が規制される。これにより、プレイヤード１は、展開状態となる。
なお、上記説明では、第２折畳状態にあるプレイヤード１を第１折畳状態としてから展開状態としているが、プレイヤード１の展開手順は、適宜変更されてもよく、第２折畳状態にあるプレイヤード１の上側フレーム体５を展開した後に脚フレーム体６を展開させてもよい。
【００４８】
以上、本実施形態にかかるプレイヤード１によれば、第１折畳状態及び第２折畳状態に多段階的に折り畳むことにより、プレイヤード１が複数の可搬形態を有するので、プレイヤード１の利便性を向上させることができる。
また、折畳可能フレーム部分１１を折り畳む際に折畳可能フレーム部分１１が内側に折り畳まれるので、折り畳んだプレイヤード１がより小型化される。ここで、上面視で長方形環状をなす上側フレーム体５の長辺が折畳可能フレーム部分１１によって形成されているので、上側フレーム体５をコンパクトに折り畳むことができる。そして、折畳機構２２が折畳可能フレーム部分１１の中間部分にあり、折り畳んだ折畳可能フレーム部分１１の長さが展開時の折畳可能フレーム部分１１の長さのほぼ半分となるので、折畳可能フレーム部分１１をよりコンパクトに折り畳むことができる。
さらに、第１折畳状態において、折り畳んだ折畳可能フレーム部分１１を上方に湾曲している連続フレーム部分１２の下に通って延在することにより、上側フレーム体５をよりコンパクトに折り畳むことができる。
その上、プレイヤード１が第１折畳状態にあるときに自立するので、プレイヤード１の保管が容易になり、プレイヤード１の利便性が向上する。ここで、脚フレーム体６の自由端部に車輪１０４が取り付けられているので、第１折畳状態にあるプレイヤード１の搬送性が向上する。
【００４９】
［第２実施形態］
次に、本発明によるプレイヤードの第２実施形態を図面に基づいて説明する。なお、ここで説明する実施形態は、その基本的構成が上述した実施形態と同様である。したがって、以下の図面において上記図面と同一構成要素に同一符号を付し、この説明を省略する。
【００５０】
本実施形態にかかるプレイヤード２００では、図１１に示すように、回動接続体２０１及び脚フレーム体２０２の構造が第１実施形態にかかる回動接続体１３及び脚フレーム体６の構造と異なる。
回動接続体２０１の第２取付部材２１１は、連続フレーム取付部９１と、連続フレーム取付部９１から下方に連設され、脚フレーム体２０２を脚回動軸Ａ２回りに回動可能にする脚フレーム取付部２１２と、を有する。
取付板部２１３の前後方向内側部分の内面には、左右方向内側に突出するラッチリブ部（第２ラッチ係合部）２１３Ａが形成されている。
【００５１】
脚フレーム体２０２は、脚フレーム管体１０１と、脚フレーム管体１０１の上端部に装着された脚ラッチ筒状体２２１と、を備える。
脚ラッチ筒状体２２１は、脚フレーム管体１０１の上端部に装着されるラッチ筒本体２２２と、ラッチ筒本体２２２に取り付けられたラッチ操作体２２３と、を有する。
ラッチ筒本体２２２は、取付板部２１３に脚回動軸Ａ２回りに回動可能に取り付けられている。
ラッチ操作体２２３は、Ｌ字状をなしており、操作部２２４と、操作部２２４から上方に延在するラッチ部（第１ラッチ係合部）２２５と、を有する。ラッチ操作体２２３は、操作部２２４とラッチ部２２５との接続部分にあるラッチ回動軸Ａ４回りに回動可能にラッチ筒本体２２２に取り付けられている。
ラッチ部２２５の上端部は、一対の取付板部２１３間に配設されており、ラッチ部２２５の上端は、ラッチリブ部２１３Ａの下端に当接することによって、脚フレーム体２０２が回動接続体２０１に対して脚回動軸Ａ２回りに回動することを規制する。また、ラッチ部２２５の上端部は、コイルバネ（図示略）によって前後方向内側に付勢されている。
これらラッチ操作体２２３及び取付板部２１３に形成されたラッチリブ部２１３Ａによって、脚ラッチ機構が形成されている。
【００５２】
次に、以上のような構成のプレイヤード２００の使用方法を説明する。
プレイヤード２００を展開状態から第１折畳状態まで折り畳む方法は、上述した第１実施形態にかかるプレイヤード１と同様である。第１折畳状態にあるプレイヤード２００を第２折畳状態へ移行させるためには、ラッチ操作体２２３の操作部２２４をバネ付勢力に抗して押し下げる。操作部２２４を下方に押し下げると、ラッチ部２２５が図１１に示す時計回り方向に移動してラッチ部２２５とラッチリブ部２１３Ａとのラッチ係合が解除される。そして、脚フレーム体２０２を脚回動軸Ａ２回りに回動させ、脚フレーム体２０２を連続フレーム部分１２に近接させる。
このようにして、プレイヤード２００をさらに折り畳んで第２折畳状態とする。
【００５３】
以上、本実施形態にかかるプレイヤード２００は、第１実施形態にかかるプレイヤード１と同様の効果を奏する。
【００５４】
［第３実施形態］
次に、本発明によるプレイヤードの第３実施形態を図面に基づいて説明する。なお、ここで説明する実施形態は、その基本的構成が上述した実施形態と同様である。したがって、以下の図面において上記図面と同一構成要素に同一符号を付し、この説明を省略する。
【００５５】
本実施形態にかかるプレイヤード３００では、図１２（ａ）に示すように、第２実施形態と同様に、回動接続体３０１及び脚フレーム体３０２の構造が第１実施形態にかかる回動接続体１３及び脚フレーム体６の構造と異なる。
回動接続体３０１の第２取付部材３１１は、連続フレーム取付部９１と、連続フレーム取付部９１から下方に連設され、脚フレーム体３０２を脚回動軸Ａ２回りに回動可能にする脚フレーム取付部３１２と、を有する。
脚フレーム取付部３１２の取付板部３１３の前後方向内側部分には、左右方向で見てＬ字状のラッチスリット部（第２ラッチ係合部，ラッチ溝部）３１３Ａが形成されている。ラッチスリット部３１３Ａは、ほぼ前後方向に延在する第１スリット部（第１案内溝部）３１３Ｂと、第１スリット部３１３Ｂの後端からほぼ上方に延在する第２スリット部（第２案内溝部）３１３Ｃと、を有する。
【００５６】
脚フレーム体３０２は、脚フレーム管体１０１と、脚フレーム管体１０１の上端部に装着された脚ラッチ筒状体３２１と、を備える。
脚ラッチ筒状体３２１は、脚フレーム管体１０１の上端部に装着されたラッチ筒本体３２２と、ラッチ筒本体３２２に取り付けられたラッチ体３２３と、を有する。
ラッチ筒本体３２２は、取付板部３１３に脚回動軸Ａ２回りに回動可能に取り付けられている。
ラッチ体３２３は、ラッチ筒本体３２２に対してラッチ回動軸Ａ５回りに回動可能に取り付けられており、ラッチ体３２３の上端部には、ラッチスリット部３１３Ａに挿通されるラッチ突起部（第１ラッチ係合部）３２３Ａが形成されている。また、ラッチ体３２３は、バネ（図示略）によってラッチ筒本体３２２から離間するように付勢されている。
これらラッチ突起部３２３Ａを有するラッチ体３２３及び取付板部３１３に形成されたラッチスリット部３１３Ａによって、脚ラッチ機構が形成されている。
【００５７】
次に、以上のような構成のプレイヤード３００の使用方法を説明する。
プレイヤード３００を展開状態から第１折畳状態まで折り畳む方法は、上述した第１実施形態にかかるプレイヤード１と同様である。第１折畳状態にあるプレイヤード３００を第２折畳状態へ移行させるためには、図１２（ｂ）に示すように、ラッチ体３２３をバネ付勢力に抗してラッチ筒本体３２２に向けて押し込む。ラッチ体３２３を押し込むと、ラッチ体３２３のラッチ突起部３２３Ａがラッチスリット部３１３Ａの第１スリット部３１３Ｂに沿って後方に移動し、ラッチスリット部３１３Ａとラッチ突起部３２３Ａとの間のラッチ係合が解除される。そして、図１２（ｃ）に示すように、脚フレーム体３０２を脚回動軸Ａ２回りに回動させ、脚フレーム体３０２を連続フレーム部分１２に近接させる。脚フレーム体３０２を脚回動軸Ａ２回りに回動させるにしたがって、ラッチ突起部３２３Ａは、ラッチスリット部３１３Ａの第２スリット部３１３Ｃに沿って上方へ移動する。
このようにして、プレイヤード３００をさらに折り畳んで第２折畳状態とする。
【００５８】
以上、本実施形態にかかるプレイヤード３００は、第１実施形態にかかるプレイヤード１と同様の効果を奏する。
【００５９】
［第４実施形態］
次に、本発明によるプレイヤードの第４実施形態を図面に基づいて説明する。なお、ここで説明する実施形態は、その基本的構成が上述した実施形態と同様である。したがって、以下の図面において上記図面と同一構成要素に同一符号を付し、この説明を省略する。
【００６０】
本実施形態にかかるプレイヤード４００では、図１３（ａ）に示すように、第２実施形態と同様に、回動接続体４０１及び脚フレーム体４０２の構造が第１実施形態にかかる回動接続体１３及び脚フレーム体６の構造と異なる。
回動接続体４０１の第２取付部材４１１は、連続フレーム取付部４１２と、連続フレーム取付部４１２から下方に連設され、脚フレーム体４０２を脚回動軸Ａ２回りに回動可能にする脚フレーム取付部４１３と、を有する。
【００６１】
脚フレーム体４０２は、脚フレーム管体１０１と、脚フレーム管体１０１の上端部に装着された脚ラッチ筒状体４２１と、を備える。
脚ラッチ筒状体４２１は、脚フレーム管体１０１の上端部に装着されたラッチ筒本体４２２と、ラッチ筒本体４２２に取り付けられたラッチ体（脚ラッチ機構）４２３と、を有する。
ラッチ筒本体４２２は、取付板部４１４に脚回動軸Ａ２回りに回動可能に取り付けられている。
ラッチ体４２３は、一端部がラッチ筒本体４２２に第１ラッチ回動軸Ａ６回りに回動可能に取り付けられている下側ラッチ部分（第１ラッチ体）４２４と、一端部が取付板部４１４に対して第２ラッチ回動軸Ａ７回りに回動可能に取り付けられている上側ラッチ部分（第２ラッチ体）４２５と、を有する。
【００６２】
下側ラッチ部分４２４は、トーションバネ（図示略）によって第１ラッチ回動軸Ａ６回りでラッチ筒本体４２２から離間するように付勢されている。また、下側ラッチ部分４２４のうち前後方向外側の部分には、下側ラッチ係合部（第１ラッチ係合部）４２４Ａが形成されている。これにより、下側ラッチ部分４２４が第１ラッチ回動軸Ａ６回りに回動することが規制される。
上側ラッチ部分４２５の他端部は、下側ラッチ部分４２４の他端部に対して第３ラッチ回動軸Ａ８回りに回動可能に取り付けられている。また、上側ラッチ部分４２５の他端部には、下側ラッチ係合部４２４Ａと第３ラッチ回動軸Ａ８回りで係合する上側ラッチ係合部（第２ラッチ係合部）４２５Ａが形成されている。
なお、図１３（ａ）において、第１ラッチ回動軸Ａ６と第３ラッチ回動軸Ａ８とを結ぶ線と第２ラッチ回動軸Ａ７と第３ラッチ回動軸Ａ８とを結ぶ線とがなす角αは、１８０°未満となっており、前後方向内側に突出している。
【００６３】
次に、以上のような構成のプレイヤード４００の使用方法を説明する。
プレイヤード４００を展開状態から第１折畳状態まで折り畳む方法は、上述した第１実施形態にかかるプレイヤード１と同様である。第１折畳状態にあるプレイヤード４００を第２折畳状態へ移行させるためには、図１３（ｂ）に示すように、ラッチ体４２３をラッチ筒本体４２２に向けて押し込む。ラッチ体４２３を押し込むと、下側ラッチ部分４２４は、第１ラッチ回動軸Ａ６回りに前後方向外側に向けて回動し、上側ラッチ部分４２５は、第２ラッチ回動軸Ａ７回りに前後方向外側に向けて回動する。そのため、下側ラッチ係合部４２４Ａと上側ラッチ係合部４２５Ａとの間の係合が解除され、脚フレーム体４０２は、脚回動軸Ａ２回りに回動可能となる。脚フレーム体４０２を脚回動軸Ａ２回りに回動させていくと、図１３（ｃ）に示すように、上側ラッチ部分４２５は、第２ラッチ回動軸Ａ７回りに回動する。下側ラッチ部分４２４は、上側ラッチ部分４２５の回動に追従する。そして、脚フレーム体４０２を連続フレーム部分１２に近接させる。
このようにして、プレイヤード４００をさらに折り畳んで第２折畳状態とする。
【００６４】
以上、本実施形態にかかるプレイヤード４００は、第１実施形態にかかるプレイヤード１と同様の効果を奏する。
なお、本実施形態では、下側ラッチ部分４２４及び上側ラッチ部分４２５のうちの前後方向外側の部分に下側ラッチ係合部４２４Ａ及び上側ラッチ係合部４２５Ａを各別に形成し、下側ラッチ部分４２４を第１ラッチ回動軸Ａ６回りに前後方向外側に回動させることによって下側ラッチ係合部４２４Ａ及び上側ラッチ係合部４２５Ａを係合解除している。しかし、下側ラッチ部分４２４及び上側ラッチ部分４２５のうちの前後方向内側の部分に下側ラッチ係合部４２４Ａ及び上側ラッチ係合部４２５Ａを各別に形成し、下側ラッチ部分４２４を第１ラッチ回動軸Ａ６回りに前後方向内側に回動させることによって下側ラッチ係合部４２４Ａ及び上側ラッチ係合部４２５Ａを係合解除してもよい。
【００６５】
なお、本発明は上記実施形態に限定されるものではなく、本発明の趣旨を逸脱しない範囲において種々の変更を加えることができる。
例えば、フレーム構造体には、各脚フレーム体に対して脚ラッチ機構を設けているが、一部の脚フレームのみに対して脚ラッチ機構を設けてもよく、脚ラッチ機構を設けなくてもよい。
上側フレーム体は、上面視で長方形状をなしているが、正方形状など、他の矩形状をなしてもよく、六角形状などの多角形状や円状、半円状など、矩形状に限らず、他の形状をなしてもよい。
折畳可能フレーム部分は、回動接続体を介して連続フレーム部分に連結されているが、他の折畳可能フレーム部分に連結されてもよく、同じく、連続フレーム部分は、回動接続体を介して別の連続フレーム部分に連結されてもよい。
脚フレーム体の数は、フレーム構造体が織物構造体と共に内部空間を画成できれば、４本に限定されない。
上側フレーム体には、バシネットなど他の部材が取り付けられてもよい。
折畳機構は、折畳可能フレーム部分を上側フレーム体の内側に折り畳むことを可能とせず、外側に折畳可能としてもよい。
折畳機構は、折畳可能フレーム部分の中間部分に設けられていなくてもよい。
第１折畳状態にあるプレイヤードは、自立しなくてもよい。
連続フレーム部分は、湾曲部分を有していなくてもよく、上側フレーム体を折り畳んだ状態で、折り畳んだ折畳可能フレーム部分は、連続フレーム部分の上方または下方を通らなくてもよい。
全ての脚フレーム体が車輪を有してもよく、脚フレーム体は、車輪を有していなくてもよい。
【産業上の利用可能性】
【００６６】
この発明によれば、フレーム構造体を多段階的に折り畳むことによって複数の可搬形態を有するプレイヤードに関して、産業上の利用可能性が認められる。
【符号の説明】
【００６７】
１  プレイヤード、２  フレーム構造体、５  上側フレーム体、６  脚フレーム体、１１  折畳可能フレーム部分（フレーム部分）、１２  連続フレーム部分（フレーム部分）、１３  回動接続体、２２  折畳機構、９３Ｂ  ラッチ凹所（第２ラッチ係合部）、１０１  脚フレーム管体（脚フレーム本体）、１０２  脚ラッチ筒部（ラッチスライド体）、１０４  車輪、１１３  脚ラッチ突起部（第１ラッチ係合部）、２００  プレイヤード、２０１  回動接続体、２０２  脚フレーム体、２１３Ａ  ラッチリブ部（第２ラッチ係合部）、２２３  ラッチ操作体、２２４  操作部、２２５  ラッチ部（第１ラッチ係合部）、３００  プレイヤード、３０１  回動接続体、３０２  脚フレーム体、３１３Ａ  ラッチスリット部（第２ラッチ係合部，ラッチ溝部）、３１３Ｂ  第１スリット部（第１案内溝部）、３１３Ｃ  第２スリット部（第２案内溝部）、３２３Ａ  ラッチ突起部（第１ラッチ係合部）、４００  プレイヤード、４０１  回動接続体、４０２  脚フレーム体、４２３  ラッチ体（脚ラッチ機構）、４２４  下側ラッチ部分（第１ラッチ体）、４２４Ａ  下側ラッチ係合部（第１ラッチ係合部）、４２５  上側ラッチ部分（第２ラッチ体）、４２５Ａ  上側ラッチ係合部（第２ラッチ係合部）
【図１】
2020039875.tif 000003
【図２】
2020039875.tif 000004
【図３】
2020039875.tif 000005
【図４】
2020039875.tif 000006
【図５】
2020039875.tif 000007
【図６】
2020039875.tif 000008
【図７】
2020039875.tif 000009
【図８】
2020039875.tif 000010
【図９】
2020039875.tif 000011
【図１０】
2020039875.tif 000012
【図１１】
2020039875.tif 000013
【図１２】
2020039875.tif 000014
【図１３】
2020039875.tif 000015
【外国語明細書】
2020039875000001.pdf